(57)【要約】【課題】レンズ保持枠を複数のガイドバーに係合させるとともに、各ガイドバーをレンズ保持枠のメインガイドとして使用することのできるレンズ装置を提供する。【解決手段】本発明のレンズ装置１０は、レンズ鏡胴本体１１と、レンズ鏡胴本体１１に光軸Ｌ方向に支持されたガイドバー２８、３０と、ガイドバー２８、３０に係合されて光軸Ｌ方向に移動自在に支持される保持枠３２、３４とを備える。レンズ鏡胴本体１１には、ガイドバー２８、３０の端部よりも大きい開口の孔１２８、１３０が形成され、この孔１２８、１３０にガイドバー２８、３０の端部２８Ａ、３０Ａが挿入される。ガイドバー２８、３０と孔１２８、１３０との隙間には、ガイドバー２８、３０の端部２８Ａ、３０Ａを全て同じ方向に押圧する押さえ部材１３２、１３４が設けられる。【選択図】  図５
2008225263.tif 000002
【特許請求の範囲】
【請求項１】
レンズ鏡胴本体と、該レンズ鏡胴本体に光軸方向に支持された複数のガイドバーと、該複数のガイドバーに係合されることによって光軸方向に移動自在に支持される複数のレンズ保持枠とを備えたレンズ装置において、
前記レンズ鏡胴本体には、前記ガイドバーの一方側の端部よりも大きい開口部が形成され、該開口部に前記ガイドバーの一方側の端部が挿入されるとともに、
前記ガイドバーと前記開口部との隙間に、前記複数のガイドバーの一方側の端部を、前記光軸に直交する方向の全て同じ方向に押圧する押さえ部材が設けられることを特徴とするレンズ装置。
【請求項２】
前記開口部は角孔であり、
前記押さえ部材は三角柱状に形成され、
該押さえ部材が前記角孔のコーナー部に挿入されることによって、前記ガイドバーの一方側の端部が前記押さえ部材に対向するコーナー部に押し付けられることを特徴とする請求項１に記載のレンズ装置。
【請求項３】
前記押さえ部材は、弾性材によって中空部を有する形状に形成されることを特徴とする請求項１又は２に記載のレンズ装置。
【請求項４】
前記押さえ部材及び前記レンズ鏡胴本体には、前記押さえ部材を前記孔の内部で位置決めする位置決め手段が設けられることを特徴とする請求項１〜３のいずれか１に記載のレンズ装置。
【請求項５】
前記レンズ保持枠は、
前記複数のガイドバーのうちの一つのガイドバーに摺動自在に係合されるガイド部と、
前記ガイドバーのうちの別のガイドバーに係合されて回転方向の動きを規制する回り止め部と、を備え、
前記複数のレンズ保持枠は、前記ガイド部が異なるガイドバーに係合されることを特徴とする請求項１〜４のいずれか１に記載のレンズ装置。
【請求項６】
前記レンズ鏡胴本体には、前記ガイドバーの他方側の端部が圧入される圧入用開口部が形成され、
該圧入用開口部を成す壁面は、前記押さえ部材によって押圧される側の壁面が、前記押圧される側と反対側の壁面よりも厚く形成されることを特徴とする請求項１〜５のいずれか１に記載のレンズ装置。
【発明の詳細な説明】
【技術分野】
【０００１】
本発明はレンズ装置に係り、特に携帯用の映像撮影装置に設けられるレンズ装置に関する。
【背景技術】
【０００２】
レンズ装置には、フォーカスレンズやズームレンズなど、光軸方向に移動する複数の撮影レンズが設けられている（たとえば特許文献１参照）。このような移動型の撮影レンズは通常、その保持枠が二本のガイドバーに係合されており、一方のガイドバーが光軸方向のメインガイドとして作用し、もう一方のガイドバーがレンズ保持枠の回り止めとして作用するようになっている。すなわち、レンズ保持枠には、メインガイドのガイドバーに摺動自在に係合されるガイド部と、回り止め用のガイドバーに係合して回転方向の動きを規制する回り止め部とが設けられる。ガイド部は、レンズ保持枠のガタつきを防止するため、軸方向に所定の長さを有しており、このガイド部がガイドバーに摺動することによって、レンズ保持枠が光軸方向に移動される。
【０００３】
ところで、移動型の撮影レンズを複数設ける場合、各撮影レンズのレンズ保持枠においてガイドバーを共通化することが行われている。たとえば、ズームレンズとフォーカスレンズを備えたレンズ装置では、メインガイドとなるガイドバーに、ズームレンズ側のガイド部とフォーカスレンズ側のガイド部を係合させるとともに、回り止め用のガイドバーにズームレンズ側の回り止め部とフォーカスレンズ側の回り止め部を係合させている。これにより、複数の撮影レンズで共通のガイドバーを使用することができ、部品点数を減らしてコストを低減することができる。
【特許文献１】特開２００５−１１４８１１号公報
【発明の開示】
【発明が解決しようとする課題】
【０００４】
しかしながら、複数の撮影レンズでガイドバーを共通化した場合、レンズ装置を小型化できないという問題を生じる。すなわち、ガイド部は軸方向に所定の長さを必要とするため、一本のガイドバーに複数のガイド部を係合させると、軸方向に大きなスペースが必要になり、レンズ装置が軸方向に大型化するという問題が生じる。
【０００５】
そこで、複数のガイド部を二本のガイドバーに分けて配置する方法が考えられる。たとえば、第１のガイドバーにズームレンズ側のガイド部を係合させてズームレンズ側のメインガイドとする一方で、第２のガイドバーにフォーカスレンズ側のガイド部を係合させてフォーカスレンズ側のメインガイドとする。その際、第１のガイドバーにはフォーカスレンズ側の回り止め部を係合させ、第２のガイドバーにはズームレンズ側の回り止め部を係合させる。これにより、二つのガイド部が二本のガイドバーに分けて配置されるので、レンズ装置を小型化することができる。
【０００６】
しかし、上記の場合には、二本のガイドバーがそれぞれメインガイドとなるため、二本のガイドバーをそれぞれ光軸に対して高い精度で平行に取り付けなければならず、組み立て作業に多大な労力が必要になるという問題があった。
【０００７】
また、各ガイドバーは、ガイド部のガイド孔の加工精度に応じて、あるいは、ガイドバーやガイド部のロッド毎に選択部品とすることが望まれるが、二本のガイドバーの両方をメインガイドした場合には、光軸に対して高い平行度を維持するために、ガイドバーを変更するたびに設計も変更しなければならず、ガイドバーを選択部品とすることができないという問題があった。
【０００８】
このような問題があるため、従来は、二本のガイドバーをメインガイドとして使用することができなかった。
【０００９】
本発明はこのような事情に鑑みてなされたもので、レンズ保持枠を複数のガイドバーに係合させるとともに、各ガイドバーをレンズ保持枠のメインガイドとして使用することのできるレンズ装置を提供することを目的とする。
【課題を解決するための手段】
【００１０】
請求項１に記載の発明は前記目的を達成するために、レンズ鏡胴本体と、該レンズ鏡胴本体に光軸方向に支持された複数のガイドバーと、該複数のガイドバーに係合されることによって光軸方向に移動自在に支持される複数のレンズ保持枠とを備えたレンズ装置において、前記レンズ鏡胴本体には、前記ガイドバーの一方側の端部よりも大きい開口部が形成され、該開口部に前記ガイドバーの一方側の端部が挿入されるとともに、前記ガイドバーと前記開口部との隙間に、前記複数のガイドバーの一方側の端部を、前記光軸と直交する方向の全て同じ方向に押圧する押さえ部材が設けられることを特徴とする。
【００１１】
請求項１の発明によれば、押さえ部材によって複数のガイドバーの端部が全て同じ方向に押圧されて固定されるので、複数のガイドバーは高い平行度でレンズ装置に組み付けられる。これにより、複数のガイドバーをそれぞれ、レンズ保持枠のメインガイドとして使用することができ、レンズ装置を小型化することができる。
【００１２】
また、請求項１の発明によれば、ガイドバーの端部を、それよりも大きい開口部に挿入して取り付けるので、径の異なるガイドバーであってもレンズ鏡胴に固定することができる。したがって、ガイドバーを選択部品とすることができる。
【００１３】
請求項２に記載の発明は請求項１の発明において、前記開口部は角孔であり、前記押さえ部材は三角柱状に形成され、該押さえ部材が前記角孔のコーナー部に挿入されることによって、前記ガイドバーの一方側の端部が前記押さえ部材に対向するコーナー部に押し付けられることを特徴とする。
【００１４】
請求項２の発明によれば、ガイドバーの端部が角孔のコーナー部に押し付けられるので、ガイドバーの端部を正確に位置決めして固定することができる。
【００１５】
請求項３に記載の発明は請求項１又は２の発明において、前記押さえ部材は、弾性材によって中空部を有する形状に形成されることを特徴とする。
【００１６】
請求項３の発明によれば、押さえ部材が中空部を有する弾性材であるので、弾性変形しやすく、ガイドバーの端部に倣って弾性変形することができる。したがって、ガイドバーの端部を確実に押圧することができる。
【００１７】
請求項４に記載の発明は請求項１〜３のいずれか１の発明において、前記押さえ部材及び前記レンズ鏡胴本体には、前記押さえ部材を前記孔の内部で位置決めする位置決め手段が設けられることを特徴とする。
【００１８】
請求項４の発明によれば、押さえ部材とレンズ鏡胴本体を位置決めして固定することができるので、複数のガイドバーを正確に同じ方向に押圧して固定することができる。
【００１９】
請求項５に記載の発明は請求項１〜４のいずれか１の発明において、前記レンズ保持枠は、前記複数のガイドバーのうちの一つのガイドバーに摺動自在に係合されるガイド部と、前記ガイドバーのうちの別のガイドバーに係合されて回転方向の動きを規制する回り止め部と、を備え、前記複数のレンズ保持枠は、前記ガイド部が異なるガイドバーに係合されることを特徴とする。
【００２０】
請求項５の発明によれば、複数のレンズ保持枠が異なるガイドバーをメインガイドとしている。本発明は、このように複数のガイドバーをメインガイドとして使用する際に特に有効である。
【００２１】
請求項６に記載の発明は請求項１〜５のいずれか１の発明において、前記レンズ鏡胴本体には、前記ガイドバーの他方側の端部が圧入される圧入用開口部が形成され、該圧入用開口部を成す壁面は、前記押さえ部材によって押圧される側の壁面が、前記押圧される側と反対側の壁面よりも厚く形成されることを特徴とする。
【００２２】
請求項６の発明によれば、圧入用開口部の壁面が押さえ部材によって押圧される側に厚く、その反対側に薄く形成されるので、押圧される側の壁面は変形せず、その反対側の壁面が変形する。したがって、ガイドバーの端部を圧入用開口部に圧入した際に、前記反対側の壁面が弾性変形し、ガイドバーの端部が前記押圧される側に押圧されて固定される。その際、押圧される側の壁面は厚く、弾性変形しないので、この壁面を基準としてガイドバーを正確に位置決めして固定することができる。このように、ガイドバーの一方側の端部の押圧方向に合わせて、ガイドバーの他方側の端部を固定することによって、ガイドバーを光軸と平行に固定することができる。
【発明の効果】
【００２３】
本発明によれば、押さえ部材によってガイドバーの端部が全て同じ方向に押圧されて固定されるので、複数のガイドバーを高い平行度でレンズ装置に組み付けることができ、複数のガイドバーをそれぞれメインガイドとして使用することができ、よって、レンズ装置を小型化することができる。
【発明を実施するための最良の形態】
【００２４】
以下添付図面に従って、本発明に係るレンズ装置の好ましい実施の形態について詳説する。
【００２５】
図１には、実施の形態に係るレンズ装置１０の側断面図が示されている。このレンズ装置１０は、撮影光軸前方側（被写体側）から撮影光軸後方（撮像側）に向って第１レンズ群１２、第２レンズ群１４、第３レンズ群１６、及び第４レンズ群１８から構成されており、これらの第１乃至第４レンズ群１２〜１８を通過した被写体光は、色分解光学系を構成する色分解プリズム２０を介して色分解プリズム２０のＲ、Ｇ、Ｂの各出射端に設けられた撮像素子２２、２４、２６に結像される。なお、このレンズ装置１０が装備されるカメラ本体（不図示）には、撮像素子２２、２４、２６から得られた撮像信号に所要の処理（ホワイトバランス、γ補正等）を施して所定形式の映像信号を生成する信号処理回路（不図示）等が搭載されている。
【００２６】
第１レンズ群１２はいわゆる前玉レンズであり、第２レンズ群１４は焦点距離を変更するバリエータレンズ、第３レンズ群１６は手振れ等に起因する振動を打ち消す方向に駆動される防振レンズ、第４レンズ群１８は焦点を調整するフォーカスレンズである。
【００２７】
これらの第１乃至第４レンズ群１２〜１８は、レンズ鏡胴本体１１内に保持されている。また、レンズ鏡胴本体１１内には、光軸と平行な一対のガイドバー２８、３０（図４参照）が挿通配置されており、このガイドバー２８、３０に第２レンズ群１４の保持枠３２及び第４レンズ群１８の保持枠３４がそれぞれスライド移動自在に支持されるとともに、第３レンズ群１６の筐体３６がガイドバー２８、３０に固定されている。なお、筐体３６をレンズ鏡胴本体１１に直接固定してもよい。
【００２８】
第２レンズ群１４には、ねじ送り装置を構成するナット（不図示）が設けられ、このナットに、同じくねじ送り装置を構成する送りねじ（不図示）が螺合連結されている。この送りねじは、光軸と平行に配設されるとともに、その端部がズーム用ステッピングモータ（不図示）の出力軸に連結されている。ズーム用ステッピングモータのズームドライバ回路（不図示）にカメラ本体側からズーム信号が出力されると、ズーム用ステッピングモータはその信号に対応した方向に送りねじを回転駆動する。これによって、第２レンズ群１４がガイドバー２８、３０に沿って光軸方向に前後移動され、所望の焦点距離に調整される。
【００２９】
第４レンズ群１８にも同様に、ねじ送り装置を構成するナット（不図示）が設けられ、このナットに、同じくねじ送り装置を構成する送りねじ（不図示）が螺合連結されている。この送りねじは、光軸と平行に配設されるとともに、その端部がフォーカス用ステッピングモータ（不図示）の出力軸に連結されている。フォーカス用ステッピングモータのフォーカスドライバ回路（不図示）にカメラ本体側からフォーカス信号が出力されると、フォーカス用ステッピングモータはその信号に対応した方向に送りねじを回転駆動する。これによって、第４レンズ群１８がガイドバー２８、３０に沿って光軸方向に前後移動され、焦点が合わされる。
【００３０】
次に、防振機構の構造について説明する。
【００３１】
図２は、防振レンズ１６を装備した筐体３６を後方から見た斜視図であり、図３は、図２に示した筐体３６からアクチュエータを除いた斜視図である。
【００３２】
これらの図に示すように、第３レンズ群（ここでは便宜上、防振レンズと称する）１６は、レンズ保持枠５０に保持され、このレンズ保持枠５０は撮影光軸Ｌに直交する面内で、異なる二方向に移動自在に支持される。以下、防振レンズ１６の移動方向をＸ方向（図２、図３の横方向）、Ｙ方向（図２、図３の縦方向）とする。また、防振レンズ１６をＸ方向に移動させる機構をＸ移動機構、Ｙ方向に移動させる機構をＹ移動機構と称する。
【００３３】
まず、Ｘ移動機構について説明する。
【００３４】
レンズ保持枠５０には、移動ガイドバー５２が固定される。移動ガイドバー５２は、Ｙ方向に配設され、この移動ガイドバー５２にスライダ５４が係合される。スライダ５４は、上辺部と左辺部から成るＬ字状に形成され、左辺部には二つのガイド部５６、５６が光軸方向に突出して形成される。各ガイド部５６にはガイド孔（不図示）がＹ方向に形成され、これらのガイド孔に移動ガイドバー５２が挿通される。これにより、スライダ５４が移動ガイドバー５２に沿ってＹ方向にスライド自在に係合される。したがって、レンズ保持枠５０はスライダ５４によってＹ方向にスライド自在に支持される。また、レンズ保持枠５０はＸ方向の動きがスライダ５４に規制され、スライダ５４をＸ方向に移動した際にレンズ保持枠５０もＸ方向に移動される。
【００３５】
なお、移動ガイドバー５２の図中下端部５２Ａは、筐体３６に形成されたＸ方向の長孔５８に係合されており、これによって、レンズ保持枠５０の倒れ（光軸方向に対する傾き）が防止される。
【００３６】
スライダ５４の上辺部には、Ｘ方向のガイド孔（不図示）が形成されており、このガイド孔に固定ガイドバー６０が挿通される。固定ガイドバー６０は、Ｘ方向に配設され、その両端部は筐体３６に固定される。これにより、スライダ５４は、固定ガイドバー６０に沿ってＸ方向にスライド自在に支持される。スライダ５４をＸ方向にスライドさせることによって、スライダ５４の左辺部に移動ガイドバー５２を介して係合されたレンズ保持枠５０がＸ方向にスライドされる。
【００３７】
また、スライダ５４の上辺部には、平面状のモータコイル（商品名「ファインパターンコイル」（登録商標））６２が固定され、このモータコイル６２の下面にフレキシブルプリント基板（以下、フレキと称する）６４の出力端が接着固定される。モータコイル６２は防振レンズ１６の外側周辺でＸ方向に配設されており、また、フレキ６４にホール素子等の位置センサ６６が位置決めされて固着されている。
【００３８】
フレキ６４は、モータコイル６２からＸ方向に引き出され、筐体３６の側面開口６８を介して筐体３６の外部に引き出される。外部に引き出されたフレキ６４は、外側に屈曲され、さらにＶ状（またはＵ状）の屈曲部が形成された後、レンズ鏡胴本体１１（図１参照）の所定の位置からレンズ鏡胴本体１１の外部に引き出される。引き出されたフレキ６４は、電源供給や防振レンズ１６の動作制御を行うユニットに接続される。なお、筐体３６の側面開口６８は、スリット７０を介して筐体３６の端面に連通されており、このスリット７０にフレキ６４を通すことによってフレキ６４が側面開口６８の内部に配置される。
【００３９】
モータコイル６２の外側には、マグネット７２がモータコイル６２に対向して配置される。マグネット７２は、矩形の板状に形成され、Ｓ極７２ＡとＮ極７２ＢがＸ方向に並ぶように配設される。前述した位置センサ６６はマグネット７２のＳ極７２ＡとＮ極７２Ｂとの境界部に対向して配置され、磁場の変化を検出し、その検出した信号を、フレキ６４を介して前記ユニットに出力する。
【００４０】
マグネット７２の外側には、ヨークとなる金属板（不図示）が設けられる。金属板は、マグネット７２の磁力によってマグネット７２に吸着される。また、金属板は、マグネット７２よりも大きな矩形状に形成されており、その縁部がマグネット７２から突出した状態で取り付けられる。筐体３６の外面には、金属板の大きさの凹部が形成され、さらにその内側にマグネット７２の大きさの開口７４が形成されており、この筐体３６の凹部に金属板が収納され、開口７４にマグネット７２が収納される。
【００４１】
モータコイル６２の内側には、ヨークとなる金属板７６がモータコイル６２に対向してＸ方向に配置される。この金属板７６は、その一端が前記スリット７０に差し込まれ、その他端が筐体３６に形成された溝７８に差し込まれることにより筐体３６に固定される。
【００４２】
上記の如く構成されたＸ移動機構は、マグネット７２及び２枚の金属板（一方は不図示）７６によって形成される磁界内にモータコイル６２が配設されるので、モータコイル６２に通電することによって、モータコイル６２及びそれを支持するスライダ５４がＸ方向に力を受ける。したがって、スライダ５４及びレンズ保持枠５０がＸ方向に移動され、よって、防振レンズ１６がＸ方向に移動される。以上が防振機構の構造である。
【００４３】
次に、Ｙ移動機構について説明する。
【００４４】
レンズ保持枠５０には、移動ガイドバー８２が固定される。移動ガイドバー８２は、Ｘ方向に配設され、この移動ガイドバー８２にスライダ８４が係合される。スライダ８４は、下辺部と右辺部から成るＬ字状に形成され、下辺部には二つのガイド部８６、８６が光軸方向に突出して形成される。各ガイド部８６にはガイド孔（不図示）がＸ方向に形成され、これらのガイド孔に移動ガイドバー８２が挿通される。これにより、スライダ８４が移動ガイドバー８２に沿ってＸ方向にスライド自在に係合される。したがって、レンズ保持枠５０はスライダ８４によってＸ方向にスライド自在に支持される。また、レンズ保持枠５０はＹ方向の動きがスライダ８４に規制され、スライダ８４をＹ方向に移動した際にレンズ保持枠５０もＹ方向に移動される。
【００４５】
スライダ８４の右辺部には、Ｙ方向のガイド孔（不図示）が形成されており、このガイド孔に固定ガイドバー９０が挿通される。固定ガイドバー９０は、Ｙ方向に配設され、その両端部は筐体３６に固定される。これにより、スライダ８４は、固定ガイドバー９０に沿ってＹ方向にスライド自在に支持される。スライダ８４をＹ方向にスライドさせることによって、スライダ８４の下辺部に移動ガイドバー８２を介して係合されたレンズ保持枠５０がＹ方向にスライドされる。
【００４６】
また、スライダ８４の右辺部には、平面状のモータコイル（商品名「ファインパターンコイル」（登録商標））９２が固定され、このモータコイル９２の左面にフレキシブルプリント基板（以下、フレキと称する）９４の出力端が接着固定される。モータコイル９２は防振レンズ１６の外側周辺でＹ方向に配設されており、また、フレキ９４にホール素子等の位置センサ９６が位置決めされて固着されている。
【００４７】
フレキ９４は、モータコイル９２からＹ方向に引き出され、筐体３６の側面開口９８を介して筐体３６の外部に引き出される。外部に引き出されたフレキ９４は、外側に屈曲され、さらにＶ状（またはＵ状）の屈曲部が形成された後、レンズ鏡胴本体１１（図１参照）の所定の位置からレンズ鏡胴本体１１の外部に引き出される。引き出されたフレキ９４は、電源供給や防振レンズ１６の動作制御を行うユニットに接続される。なお、筐体３６の側面開口９８は、スリット１００を介して筐体３６の端面に連通されており、このスリット１００にフレキ９４を通すことによってフレキ９４が側面開口９８の内部に配置される。
【００４８】
モータコイル９２の外側には、マグネット１０２がモータコイル９２に対向して配置される。マグネット１０２は、矩形の板状に形成され、Ｓ極１０２ＡとＮ極１０２ＢがＹ方向に並ぶように配設される。前述した位置センサ９６はマグネット１０２のＳ極１０２ＡとＮ極１０２Ｂとの境界部に対向して配置され、磁場の変化を検出し、その検出した信号を、フレキ９４を介して前記ユニットに出力する。
【００４９】
マグネット１０２の外側には、ヨークとなる金属板（不図示）が設けられる。金属板は、マグネット１０２の磁力によってマグネット１０２に吸着される。また、金属板は、マグネット１０２よりも大きな矩形状に形成されており、その縁部がマグネット１０２から突出した状態で取り付けられる。筐体３６の外面には、金属板の大きさの凹部が形成され、さらにその内側にマグネット１０２の大きさの開口１０４が形成されており、この筐体３６の凹部に金属板が収納され、開口１０４にマグネット１０２が収納される。
【００５０】
モータコイル９２の内側には、ヨークとなる金属板１０６がモータコイル９２に対向してＹ方向に配置される。この金属板１０６は、その一端が前記スリット１００に差し込まれ、その他端が筐体３６に形成された溝１０８に差し込まれることにより筐体３６に固定される。
【００５１】
上記の如く構成されたＹ移動機構は、マグネット１０２及び２枚の金属板（一方は不図示）１０６によって形成される磁界内にモータコイル９２が配設されるので、モータコイル９２に通電することによって、モータコイル９２及びそれを支持するスライダ８４がＹ方向に力を受ける。したがって、スライダ８４及びレンズ保持枠５０がＹ方向に移動され、よって、防振レンズ１６がＹ方向に移動される。以上が防振機構の構造である。
【００５２】
次に、本発明の特徴部分であるガイドバー２８、３０の取付機構について説明する。図４は、レンズ鏡胴本体１１に各構成部品を組み込んだ状態のレンズ装置１０を示す平面図であり、図５は、レンズ鏡胴本体１１にガイドバー２８、３０を組み込んだ状態を示す斜視図である。
【００５３】
これらの図に示すように、レンズ鏡胴本体１１の内部には、二本のガイドバー２８、３０が光軸Ｌと平行に配設されている。また、レンズ鏡胴本体１１の内部には、第２レンズ群１４の保持枠３２、第３レンズ群１６の筐体３６、第４レンズ群１８の保持枠３４が設けられており、これらの保持枠３２、保持枠３４、筐体３６が二本のガイドバー２８、３００に係合されている。
【００５４】
保持枠３２には、ガイド部１１０と回り止め部１１２が一体的に形成されている。ガイド部１１０は、光軸Ｌ方向に細長く形成され、その両端部１１０Ａ、１１０Ｂにガイドバー２８が挿通されるガイド孔（不図示）を備える。このガイド孔は、ガイドバー２８と略同じ寸法で形成されており、ガイドバー２８が摺動自在に挿通される。これにより、ガイド部１１０すなわち保持枠３２がガイドバー２８に沿ってスライド自在に支持される。なお、ガイド部１１０は、ガイドバー２８とのガタを防止するため、両端部１１０Ａ、１１０Ｂ（すなわちガイド孔）の間隔を光軸Ｌ方向に拡げる必要があり、光軸Ｌ方向に細長く形成されている。一方、回り止め部１１２には、その外側（図４の下側）から溝（不図示）が形成されており、この溝にガイドバー３０が係合されることによって、保持枠３２がガイドバー２８を中心に回転することが防止される。
【００５５】
上記の保持枠３２と同様に、保持枠３４には、ガイド部１１４と回り止め部１１６が一体的に形成されている。ガイド部１１４は、光軸Ｌ方向に細長く形成され、その両端部１１４Ａ、１１４Ｂに、ガイドバー３０が挿通されるガイド孔（不図示）を備える。このガイド孔は、ガイドバー３０と略同じ寸法で形成されており、ガイドバー３０が摺動自在に挿通される。これにより、ガイド部１１４すなわち保持枠３４がガイドバー３０に沿ってスライド自在に支持される。なお、ガイド部１１４は、ガイドバー３０とのガタを防止するため、両端部１１４Ａ、１１４Ｂ（すなわちガイド孔）の間隔を光軸Ｌ方向に拡げる必要があり、光軸Ｌ方向に細長く形成されている。一方、回り止め部１１６には、その外側（図４の上側）から溝（不図示）が形成されており、この溝にガイドバー２８が係合されることによって、保持枠３４がガイドバー３０を中心に回転することが防止される。
【００５６】
筐体３６も保持枠３２、３４と同様に、ガイド部１２０と回り止め部１２２が一体的に形成されている。ガイド部１２０は、光軸Ｌ方向に細長く形成されており、その両端部１２０Ａ、１２０Ｂに、ガイドバー３０が挿通されるガイド孔（不図示）を備える。このガイド孔は、ガイドバー３０と略同じ寸法で形成されており、ガイドバー３０が摺動自在に挿通される。これにより、ガイド部１２０すなわち筐体３６がガイドバー３０に沿ってスライド自在に支持される。なお、ガイド部１２０は、ガイドバー３０とのガタを防止するため、両端部１２０Ａ、１２０Ｂ（すなわちガイド孔）の間隔を光軸Ｌ方向に拡げる必要があり、光軸Ｌ方向に細長く形成されている。一方、回り止め部１２２には、その外側（図４の上側）から溝（不図示）が形成されており、この溝にガイドバー２８が係合されることによって、筐体３６がガイドバー３０を中心に回転することが防止される。なお、ガイド部１２０の側面には凹部（不図示）が形成され、この凹部にレンズ鏡胴本体１１の凸部が係合されることによって、光軸Ｌ方向に位置決めされる。これにより、筐体３６がレンズ鏡胴本体１１に固定される。
【００５７】
以上説明したように、ガイドバー２８には、保持枠３２のガイド部１１０が係合されており、ガイドバー２８は第２レンズ群１４のメインガイドとして作用する。一方、ガイドバー３０には、保持枠３４のガイド部１１４が係合されており、ガイドバー３０は第４レンズ群１８のメインガイドとして作用する。このため、ガイドバー２８、３０は、光軸Ｌに対して高い平行度が必要とされる。
【００５８】
ところで、ガイドバー２８は、図５に示すように、一方の端部２８Ｂがレンズ鏡胴本体１１の孔（圧入用開口部に相当）１２４に圧入されて固定され、もう一方の端部２８Ａがレンズ鏡胴本体１１の孔（開口部に相当）１２８に遊挿された後、押さえ部材１３２によってレンズ鏡胴本体１１に固定される。同様に、ガイドバー３０は、一方の端部３０Ｂがレンズ鏡胴本体１１の孔（圧入用開口部に相当）１２６に圧入されて固定され、もう一方の端部３０Ａがレンズ鏡胴本体１１の孔（開口部に相当）１３０に遊挿された後、押さえ部材１３４によってレンズ鏡胴本体１１に固定される。
【００５９】
次に、ガイドバー２８の端部２８Ａの固定機構について詳説する。図６は、ガイドバー２８の端部２８Ａが挿通された状態のレンズ鏡胴本体１１の孔１２８を示す斜視図である。図７は、押さえ部材１３２及びガイドバー２８の端部２８Ａを示す斜視図であり、図８は、図７の後方側から見た押さえ部材１３２及びガイドバー２８の斜視図である。
【００６０】
これらの図に示すように、レンズ鏡胴本体１１の孔１２８は、光軸Ｌ方向に形成された角孔であり、ガイドバー２８の端部２８Ａよりも大きく開口されている。ガイドバー２８は、レンズ鏡胴本体１１の前側から孔１２８を介して挿入され、レンズ鏡胴本体１１の内部に配置される。
【００６１】
孔１２８の内側の上部には、押さえ部材１３２の位置決め手段として段差部１３６が形成されており、この段差部１３６に押さえ部材１３２の段差部１３８が係合されるようになっている。ここで、孔１２８を形成する側面のうち、図６における下面を面１２８ａ、左側面を面１２８ｂ、上面を面１２８ｃ、右側面を面１２８ｄとする。
【００６２】
一方、押さえ部材１３２は、全体が略三角柱状に形成されており、レンズ鏡胴本体１１の孔１２８に圧入できる大きさで形成されている。また、押さえ部材１３２は、ポリアセタール等の弾性力の大きな材質によって形成されるとともに、その中央に貫通孔１４０が形成されており、大きな弾性力が作用する形状になっている。したがって、レンズ鏡胴本体１１の孔１２８に押さえ部材１３２を圧入した際、押さえ部材１３２自身の大きな弾性力によって押さえ部材１３２が孔１２８に固定され、且つ、押さえ部材１３２の斜めの押圧部１３２ｘによってガイドバー２８の端部２８Ａを押圧することができる。なお、押さえ部材１３２は、図６の下端部１３２ａ及び左端部１３２ｂが突出して形成されており、押さえ部材１３２をレンズ鏡胴本体１１の孔１２８に圧入した際に、下端部１３２ａ、左端部１３２ｂがそれぞれ孔１２８の面１２８ａ、面１２８ｂを確実に押圧し、押さえ部材１３２が孔１２８に固定されるようになっている。
【００６３】
また、押さえ部材１３２には、レンズ鏡胴本体１１の段差部１３６に係合される段差部１３８が設けられており、この段差部１３８をレンズ鏡胴本体１１の段差部１３６を当接させることによって、押さえ部材１３２は、孔１２８の内部で光軸Ｌ方向の位置が位置決めされる。なお、押さえ部材１３２は、段差部１３６と段差部１３８が合わない状態では、孔１２８に完全に入らないようになっている。
【００６４】
上記の如く構成された押さえ部材１３２は、図６に示すように、ガイドバー２８の端部２８Ａを孔１２８の左下のコーナー部に配置した状態で、孔１２８の右上のコーナー部に挿入される。その際、押さえ部材１３２の段差部１３８が孔１２８の段差部１３６の位置に合うように（すなわち段差部１３８が上方となるように）挿入される。これにより、ガイドバー２８の端部２８Ａが押さえ部材１３２の弾性力によって孔１２８の左下のコーナー部に（すなわち孔１２８の面１２８ａ、１２８ｂに）押圧されて固定される。
【００６５】
以上がガイドバー２８の端部２８Ａの固定機構の説明であるが、ガイドバー３０の端部３０Ａの固定機構も、上述したガイドバー２８の端部２８Ａの固定機構と同様に構成される。すなわち、レンズ鏡胴本体１１の孔１３０は、光軸Ｌ方向に形成された角孔であり、ガイドバー３０の端部３０Ａよりも大きく開口されている。ガイドバー３０は、レンズ鏡胴本体１１の前側から孔１３０を介して挿入され、レンズ鏡胴本体１１の内部に配置される。また、孔１３０の内側の上部には、押さえ部材１３４の位置決め手段として段差部（不図示）が形成されており、この段差部に押さえ部材１３４の段差部（不図示）が係合される。なお、孔１３０の段差部は、前述した孔１２８の段差部１３６と同じ位置関係（すなわち、図５、図６の上側）に形成されている。
【００６６】
一方、押さえ部材１３４は同材質、同形状であり、その説明を省略する。なお、押さえ部材１３２と押さえ部材１３４を共通部品としてもよい。押さえ部材１３４は、図５に示すように、ガイドバー３０の端部３０Ａを孔１３０の左下のコーナー部に配置した状態で、孔１３０の右上のコーナー部に挿入される。これにより、ガイドバー３０の端部３０Ａを押さえ部材１３４の弾性力によって孔１３０の左下のコーナー部に（すなわち孔１３０の左側と下側の面に）押圧されて固定される。
【００６７】
以上説明したように、ガイドバー２８の端部２８Ａは、押さえ部材１３２によって図５、図６の左下のコーナー部に押圧されて固定され、同様に、ガイドバー３０の端部３０Ａは、押さえ部材１３４の左下のコーナー部に押圧されて固定される。したがって、ガイドバー２８の端部２８Ａとガイドバー３０の端部３０Ａとが同じ方向に押圧されて固定される。
【００６８】
このように二本のガイドバー２８、３０を同じ方向に押圧して固定することによって、二本のガイドバー２８、３０は、常に同じ面（図５の下側、左側の面）を基準面として位置決めされるので、ガイドバー２８とガイドバー３０を常に高い平行度で固定することができる。
【００６９】
次に、ガイドバー２８の端部２８Ｂの固定機構について詳説する。図９は、ガイドバー２８の端部２８Ｂが圧入される孔１２４を後方から見た斜視図であり、図１０は図９と異なる方向から見た斜視図である。また、図１１（Ａ）、図１１（Ｂ）は、ガイドバー２８の端部２８Ｂの固定状態を説明する縦断面図である。
【００７０】
これらの図に示すように、レンズ鏡胴本体１１の孔１２４は、光軸Ｌ方向に形成された角孔であり、その一辺はガイドバー２８の端部２８Ｂの直径と略同じ寸法、あるいは若干小さい寸法で形成されている。
【００７１】
ここで、孔１２４を形成する四つの側面のうち、図９、図１０における下面を面１２４ａ、右側面を１２４ｂ、上面を面１２４ｃ、左側面を面１２４ｄとする。なお、図６と図９は見ている方向が異なるため左右が逆であり、図９の孔１２４の面１２４ｂと図６の孔１２８の面１２８ｂは同じ側に配置され、面１２４ｄと面１２８ｄが同じ側に配置されている。また、上下の関係は同じであり、図９の面１２４ａと図６の面１２８ａが同じ側に配置され、面１２４ｃと面１２８ｃが同じ側に配置されている。
【００７２】
図９の孔１２４は、面１２４ａ、１２４ｂを基準として加工される。具体的には、孔１２４の面１２４ａ、１２４ｂが、光軸Ｌに対して、図６の孔１２８の面１２８ａ、１２８ｂと同じ位置関係になるように加工されている。
【００７３】
ところで、孔１２４を成す側壁は、面１２４ａ、面１２４ｂ側が厚く、面１２４ｃ、１２４ｄ側が薄く形成されている。すなわち、前述した押さえ部材１３２、１３４による押圧方向の壁が厚く、その反対側の壁が薄く形成されている。したがって、孔１２４の面１２４ａ、１２４ｂ側の側壁は変形しにくく、且つ、面１２４ｃ、１２４ｄ側の側壁が変形しやく構成されている。よって、孔１２４にガイドバー２８の端部２８Ｂを圧入すると、孔１２４の面１２４ｃ、１２４ｄ側の側壁が弾性変形し、その弾性力によってガイドバー２８の端部２８Ｂが孔１２４の面１２４ａ、１２４ｂに押圧されて固定される。その際、孔１２４の面１２４ａ、１２４ｂの側壁が厚く形成されているので、孔１２４の面１２４ａ、１２４ｂは変形することがない。たとえば図１１（Ａ）、図１１（Ｂ）に示すように、ガイドバー２８の端部２８Ｂを孔１２４に圧入すると、面１２４ｃの側壁が変形して応力を逃がす一方で、面１２４ａの側壁は変形せず、この面１２４ａを基準としてガイドバー２８が上下方向に位置決めされて固定される。同様に、面１２４ｄの側壁が変形して応力を逃がす一方で、面１２４ｂの側壁は変形せず、この面１２４ｂを基準としてガイドバー２８が左右方向に位置決めされて固定される。
【００７４】
このように孔１２４の面１２４ａ、１２４ｂを成す側壁を面１２４ｃ、１２４ｄの側壁よりも厚く形成することによって、面１２４ａ、１２４ｂを基準面としてガイドバー２８の端部２８Ｂを固定することができる。これにより、ガイドバー２８の両端部２８Ａ、２８Ｂが、同じ側の面（すなわち、面１２４ａ、面１２４ｂ、面１２８ａ、１２８ｂ）を基準として固定されるので、ガイドバー２８を光軸Ｌに平行に固定することができる。
【００７５】
以上がガイドバー２８の端部２８Ｂの固定機構の説明であるが、ガイドバー３０の端部３０Ｂの固定機構も、上述したガイドバー２８の端部２８Ｂの固定機構と同様に構成される。すなわち、レンズ鏡胴本体１１の孔１２６は、光軸Ｌ方向に形成された角孔であり、その一辺はガイドバー３０の端部３０Ｂの直径と略同じ寸法、あるいは若干小さい寸法で形成される。孔１２６は、図５における下側、左側の面（不図示）を基準として加工される。具体的には、孔１２６の下側、左側の面が、光軸Ｌに対して、孔１３０の下側、左側の面（不図示）と同じ位置関係になるように加工される。
【００７６】
孔１２６を成す側壁は、図５において、下側、左側の面を成す側壁が、上側、右側を成す側壁よりも厚く形成されている。すなわち、前述した押さえ部材１３２、１３４による押圧方向の壁が厚く、その反対側の壁が薄く形成されている。したがって、孔１２６は、下側、左側の面を成す側壁は変形しにくく、且つ、上側、右側の面を成す側壁が変形しやく構成される。よって、孔１２６にガイドバー３０の端部３０Ｂを圧入すると、孔１２６の上側、右側の面を成す側壁が弾性変形し、その弾性力によってガイドバー３０の端部３０Ｂが孔１２６の下側、左側の面に押圧されて固定される。その際、孔１２６の下側、左側の面を成す側壁が厚く形成されているので、孔１２６の下側、左側の面を成す側壁は変形することがない。したがって、孔１２６の下側、左側の面を基準面として、ガイドバー３０の端部３０Ｂを固定することができる。これにより、ガイドバー３０の両端部３０Ａ、３０Ｂが、同じ側の面（すなわち、図５の下側、左側の面）を基準として固定されるので、ガイドバー３０を光軸Ｌに平行に固定することができる。
【００７７】
以上説明したように、本実施の形態によれば、ガイドバー２８の端部２８Ａが押さえ部材１３２によって孔１２８内の（図５における）下側、左側の面に押圧されて固定され、同様に、ガイドバー３０の端部３０Ａが押さえ部材１３４によって孔１３０内の（図５における）下側、左側の面に押圧されて固定される。さらに、ガイドバー２８の端部２８Ｂが孔１２６内の（図５における）下側、左側の面に位置決めされて固定され、同様にガイドバー３０の端部３０Ｂが孔１２８内の（図５における）下側、左側の面に位置決めされて固定される。したがって、二本のガイドバー２８、３０は、その両端部２８Ａ、２８Ｂ、３０Ａ、３０Ｂが同じ方向に押圧されて固定されるので、ガイドバー２８とガイドバー３０を互いに平行に、且つ、光軸Ｌに平行に固定することができる。よって、ガイドバー２８、３０を選択部品とした場合にも、ガイドバー２８、３０を常に光軸Ｌに平行に固定することができる。
【００７８】
たとえば、保持枠３２、３４のガイド部１１０、１１４のガイド孔を加工した際の精度に応じて、ガイドバー２８、３０を、外径が僅かに異なるピンに変更することがあるが、この場合にも、ガイドバー２８、３０の両端が孔１２８、１３０の同じ面に押圧されて固定されるので、ガイドバー２８、３０を光軸Ｌに平行に固定することができる。したがって、ガイドバー２８、３０の両方をメインガイドとした際に（たとえば本実施の形態のようにガイドバー２８を保持枠３２のメインガイドとし、ガイドバー３０を保持枠３４のメインガイドとした際に）、高い光学性能を得ることができる。
【００７９】
また、本実施の形態によれば、二本のガイドバー２８、３０をそれぞれメインガイドとして使用することができるので、保持枠３２のガイド部１１０と保持枠３４のガイド部１１４を別々のガイドバー２８、３０に配置することができる。このように、光軸Ｌ方向に長いガイド部１１０、１１４を二本のガイドバー２８、３０に分けて配置することによって、ガイド部１１０、１１４の設置スペースを光軸Ｌ方向に大きく確保する必要がなくなり、レンズ装置１０を光軸Ｌ方向に小型化することができる。
【００８０】
また、本実施の形態によれば、レンズ鏡胴本体１１の孔１２８、１３０がガイドバー２８、３０の端部２８Ａ、３０Ａよりも大きく開口されているので、ガイドバー２８、３０の径を変えた場合にも対応することができ、ガイドバー２８、３０を選択部品とすることができる。
【００８１】
さらに、本実施の形態では、押さえ部材１３２（又は１３４）に貫通孔１４０が形成されているので、押圧部１３２ｘがガイドバー２８（又は３０）の端部２８Ａ（又は３０Ａ）に倣って弾性変形しやすくなり、押圧部１３２ｘによってガイドバー２８（又は３０）の端部２８Ａ（又は３０Ａ）を確実に押圧することができる。
【００８２】
なお、上述した実施形態は、ガイドバー２８、３０の端部２８Ａ、３０Ａをそれぞれ、図５の左下のコーナー部に押圧するようにしたが、押圧する方向はこれに限定するものではなく、ガイドバー２８、３０を同じ方向に押圧するのであれば、どの方向であってもよい。ただし、ガイドバー２８、３０の端部２８Ｂ、３０Ｂも、その方向の面を基準として固定することが好ましい。
【００８３】
また、上述した実施形態は、レンズ鏡胴本体１１の孔１２８、１３０を角孔とし、押さえ部材１３２、１３４を略三角筒状に形成したが、孔１２８、１３０や押さえ部材１３２、１３４の形状はこれに限定するものではなく、ガイドバー２８、３０の端部２８Ａ、３０Ａを同じ方向に押圧する構成であればよい。
【００８４】
さらに、上述した実施形態は、二本のガイドバー２８、３０を設けた例で説明したが、三本以上のガイドバーを設ける場合にも適用することができる。この場合にも、全てのガイドバーを同じ方向に押圧して固定することによって、全てのガイドバーを高い平行度で固定することができる。
【図面の簡単な説明】
【００８５】
【図１】実施の形態に係るレンズ装置を示す側断面図
【図２】防振レンズを装備した筐体を後方から見た斜視図
【図３】図２の筐体からアクチュエータを除いた斜視図
【図４】レンズ鏡胴本体に各構成部品を組み込んだ状態のレンズ装置を示す平面図
【図５】レンズ鏡胴本体にガイドバーを組み込んだ状態を示す斜視図
【図６】ガイドバーの端部が挿通された状態のレンズ鏡胴本体の孔を示す斜視図
【図７】押さえ部材及びガイドバーの端部を示す斜視図
【図８】図７の後方側から見た押さえ部材及びガイドバーを示す斜視図
【図９】ガイドバーの端部が圧入される孔を後方から見た斜視図
【図１０】図９と異なる方向から見た孔の斜視図である
【図１１】ガイドバーの端部の固定状態を説明する縦断面図
【符号の説明】
【００８６】
１０…レンズ装置、１１…レンズ鏡胴本体、１２…第１レンズ群、１４…第２レンズ群、１６…第３レンズ群、１８…第４レンズ群、２８…ガイドバー、３０…ガイドバー、３２…保持枠、３４…保持枠、３６…筐体、１１０…ガイド部、１１２…回り止め部、１１４…ガイド部、１１６…回り止め部、１２０…ガイド部、１２２…回り止め部、１２８、１３０…孔、１３２、１３４…押さえ部材、１３６、１３８…段差部
【図１】
2008225263.tif 000003
【図２】
2008225263.tif 000004
【図３】
2008225263.tif 000005
【図４】
2008225263.tif 000006
【図５】
2008225263.tif 000007
【図６】
2008225263.tif 000008
【図７】
2008225263.tif 000009
【図８】
2008225263.tif 000010
【図９】
2008225263.tif 000011
【図１０】
2008225263.tif 000012
【図１１】
2008225263.tif 000013